(57)【要約】  本実施形態の通信システム１において、ＭＭＥ３０は、ＵＥ１０が利用する通信サービスのための制御信号を伝送する経路である制御プレーンを用いて当該制御信号を送受信するＳＧＷ−Ｃ６０を、ＵＥ１０が利用する通信サービスの要件に基づいて、複数のゲートウェイから選択する。また、選択されたＳＧＷ−Ｃ６０は、通信サービスのためのユーザ信号を伝送する経路であるユーザプレーンを用いて当該ユーザ信号を送受信するＳＧＷ−Ｕ７０を、ＵＥ１０が利用する通信サービスの要件に基づいて選択する。
2017141810.tif 000002
【特許請求の範囲】
【請求項１】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムにおいて制御信号伝送装置及びユーザ信号伝送装置を選択する伝送装置選択方法であって、
前記端末が利用する通信サービスに基づいて、制御信号伝送装置及びユーザ信号伝送装置を選択する伝送装置選択ステップ、
を含む伝送装置選択方法。
【請求項２】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムであって、
前記通信制御装置は、
前記端末が利用する通信サービスに基づいて、制御信号伝送装置及びユーザ信号伝送装置を選択する伝送装置選択手段、
を備える、
通信システム。
【請求項３】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムにおいて制御信号伝送装置及びユーザ信号伝送装置を選択する伝送装置選択方法であって、
制御信号伝送装置を、前記端末が利用する通信サービスに基づいて、前記通信制御装置が選択する制御信号伝送装置選択ステップと、
ユーザ信号伝送装置を、前記端末が利用する通信サービスに基づいて、前記制御信号伝送装置選択ステップにより選択された制御信号伝送装置が選択するユーザ信号伝送装置選択ステップと、
を含む伝送装置選択方法。
【請求項４】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムであって、
前記通信制御装置は、
制御信号伝送装置を、前記端末が利用する通信サービスに基づいて、前記複数の制御信号伝送装置から選択する制御信号伝送装置選択手段、
を備え、
前記制御信号伝送装置は、
前記制御信号伝送装置選択手段により選択された場合に、ユーザ信号伝送装置を、前記端末が利用する通信サービスに基づいて、自機以外の制御信号伝送装置から選択するユーザ信号伝送装置選択手段、
を備える、
通信システム。
【請求項５】
通信制御装置と、複数のゲートウェイとを含む通信システムにおいてゲートウェイを選択するゲートウェイ選択方法であって、
端末が利用する通信サービスのための制御信号を伝送する経路である制御プレーンを用いて当該制御信号を送受信する第１サービングゲートウェイを、前記端末が利用する通信サービスに基づいて、通信制御装置が選択する第１ゲートウェイ選択ステップと、
前記通信サービスのためのユーザ信号を伝送する経路であるユーザプレーンを用いて当該ユーザ信号を送受信する第２サービングゲートウェイを、前記端末が利用する通信サービスに基づいて、前記第１ゲートウェイ選択ステップにより選択された第１サービングゲートウェイが選択する第２ゲートウェイ選択ステップと、
を含むゲートウェイ選択方法。
【請求項６】
前記第１ゲートウェイ選択ステップでは、前記通信制御装置は、端末が利用する通信サービスと、当該通信サービスに適合する第１サービングゲートウェイとを対応付けた情報に基づいて第１サービングゲートウェイを選択し、
前記第２ゲートウェイ選択ステップでは、前記選択された第１サービングゲートウェイは、端末が利用する通信サービスと、当該通信サービスに適合する第２サービングゲートウェイとを対応付けた情報に基づいて第２サービングゲートウェイを選択する、
請求項５に記載のゲートウェイ選択方法。
【請求項７】
前記第１ゲートウェイ選択ステップにより選択された第１サービングゲートウェイと接続し前記第１サービングゲートウェイと前記制御信号を送受信する第１パケットデータネットワークゲートウェイを、前記端末が利用する通信サービスに基づいて、前記通信制御装置が選択する、第１パケットデータネットワークゲートウェイ選択ステップと、
前記ユーザ信号を送受信し前記第１パケットデータネットワークゲートウェイ選択ステップにより選択された第１パケットデータネットワークゲートウェイと接続する第２パケットデータネットワークゲートウェイを、前記端末が利用する通信サービスに基づいて、前記第１パケットデータネットワークゲートウェイ選択ステップにより選択された第１パケットデータネットワークゲートウェイが選択する第２パケットデータネットワークゲートウェイ選択ステップと、
をさらに含む請求項５又は６に記載のゲートウェイ選択方法。
【請求項８】
通信制御装置と、複数のゲートウェイとを含む通信システムであって、
前記通信制御装置は、
端末が利用する通信サービスのための制御信号を伝送する経路である制御プレーンを用いて当該制御信号を送受信する第１サービングゲートウェイを、前記端末が利用する通信サービスに基づいて、前記複数のゲートウェイから選択する第１ゲートウェイ選択手段、
を備え、
前記ゲートウェイは、
前記第１ゲートウェイ選択手段により第１サービングゲートウェイとして選択された場合に、前記通信サービスのためのユーザ信号を伝送する経路であるユーザプレーンを用いて当該ユーザ信号を送受信する第２サービングゲートウェイを、前記端末が利用する通信サービスに基づいて、自機以外のゲートウェイから選択する第２ゲートウェイ選択手段、
を備える、
通信システム。
【請求項９】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムにおいて制御信号伝送装置及びユーザ信号伝送装置を選択する伝送装置選択方法であって、
制御信号伝送装置を、前記端末が利用する通信サービスの要件に基づいて、前記通信制御装置が選択する制御信号伝送装置選択ステップと、
ユーザ信号伝送装置を、前記端末が利用する通信サービスの要件に基づいて、前記制御信号伝送装置選択ステップにより選択された制御信号伝送装置が選択するユーザ信号伝送装置選択ステップと、
を含む伝送装置選択方法。
【請求項１０】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムであって、
前記通信制御装置は、
制御信号伝送装置を、前記端末が利用する通信サービスの要件に基づいて、前記複数の制御信号伝送装置から選択する制御信号伝送装置選択手段、
を備え、
前記制御信号伝送装置は、
前記制御信号伝送装置選択手段により選択された場合に、ユーザ信号伝送装置を、前記端末が利用する通信サービスの要件に基づいて、自機以外の制御信号伝送装置から選択するユーザ信号伝送装置選択手段、
を備える、
通信システム。
【請求項１１】
通信制御装置と、複数のゲートウェイとを含む通信システムにおいてゲートウェイを選択するゲートウェイ選択方法であって、
端末が利用する通信サービスのための制御信号を伝送する経路である制御プレーンを用いて当該制御信号を送受信する第１サービングゲートウェイを、前記端末が利用する通信サービスの要件に基づいて、通信制御装置が選択する第１ゲートウェイ選択ステップと、
前記通信サービスのためのユーザ信号を伝送する経路であるユーザプレーンを用いて当該ユーザ信号を送受信する第２サービングゲートウェイを、前記端末が利用する通信サービスの要件に基づいて、前記第１ゲートウェイ選択ステップにより選択された第１サービングゲートウェイが選択する第２ゲートウェイ選択ステップと、
を含むゲートウェイ選択方法。
【請求項１２】
通信制御装置と、複数のゲートウェイとを含む通信システムであって、
前記通信制御装置は、
端末が利用する通信サービスのための制御信号を伝送する経路である制御プレーンを用いて当該制御信号を送受信する第１サービングゲートウェイを、前記端末が利用する通信サービスの要件に基づいて、前記複数のゲートウェイから選択する第１ゲートウェイ選択手段、
を備え、
前記ゲートウェイは、
前記第１ゲートウェイ選択手段により第１サービングゲートウェイとして選択された場合に、前記通信サービスのためのユーザ信号を伝送する経路であるユーザプレーンを用いて当該ユーザ信号を送受信する第２サービングゲートウェイを、前記端末が利用する通信サービスの要件に基づいて、自機以外のゲートウェイから選択する第２ゲートウェイ選択手段、
を備える、
通信システム。
【発明の詳細な説明】
【技術分野】
【０００１】
本発明は、伝送装置選択方法、ゲートウェイ選択方法及び通信システムに関する。
【背景技術】
【０００２】
従来、Ａｔｔａｃｈ要求したＵＥ（User  Equipment）の端末タイプに基づいてＭＭＥ（Mobility  Management  Entity）を選択し、選択されたＭＭＥが負荷情報に基づいてＳＧＷ（Serving  Gateway）を選択することが、非特許文献１に記載されている。
【先行技術文献】
【非特許文献】
【０００３】
【非特許文献１】３ＧＰＰ  ＴＳ  ２３．４０１
【発明の概要】
【発明が解決しようとする課題】
【０００４】
しかしながら、上記従来技術によると、各ＳＧＷにおける割当可能なリソースに基づいてＳＧＷを選択する手段しかない。よって、１つのＵＥが通信サービス毎にその要件に適合した複数の通信制御装置に接続できない可能性があるという問題がある。特に、制御プレーン及びユーザプレーンのそれぞれを用いるＳＧＷを別々に選択する場合、それぞれ通信サービス要件に適合させたＳＧＷを選択することが望ましい。【０００５】
そこで、本発明は、上記問題点を解決するために、１つのＵＥが要求する複数の通信サービスにより動的に、プレーン毎にゲートウェイを選択することができる伝送装置選択方法、ゲートウェイ選択方法及び通信システムを提供することを目的とする。
【課題を解決するための手段】
【０００６】
上述の課題を解決するために、本発明の一実施形態に係る伝送装置選択方法は、通信制御装置と、端末が利用する通信サービスのための制御信号を伝送する経路である制御プレーンを用いて当該制御信号を送受信する複数の制御信号伝送装置と、通信サービスのためのユーザ信号を伝送する経路であるユーザプレーンを用いて当該ユーザ信号を送受信する複数のユーザ信号伝送装置とを含む通信システムにおいて制御信号伝送装置及びユーザ信号伝送装置を選択する伝送装置選択方法であって、端末が利用する通信サービスに基づいて、制御信号伝送装置及びユーザ信号伝送装置を選択する伝送装置選択ステップ、を含む。【０００７】
また、本発明の一実施形態に係る通信システムは、通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムであって、通信制御装置は、端末が利用する通信サービスに基づいて、制御信号伝送装置及びユーザ信号伝送装置を選択する伝送装置選択手段を備える。【０００８】
この発明によれば、制御信号伝送装置及びユーザ信号伝送装置を、端末が利用する通信サービスに基づいて選択するので、通信サービスにより動的に、プレーン毎に制御信号伝送装置及びユーザ信号伝送装置を選択することができる。【０００９】
また、本発明の一実施形態に係る伝送装置選択方法は、通信制御装置と、端末が利用する通信サービスのための制御信号を伝送する経路である制御プレーンを用いて当該制御信号を送受信する複数の制御信号伝送装置と、通信サービスのためのユーザ信号を伝送する経路であるユーザプレーンを用いて当該ユーザ信号を送受信する複数のユーザ信号伝送装置とを含む通信システムにおいて制御信号伝送装置及びユーザ信号伝送装置を選択する伝送装置選択方法であって、制御信号伝送装置を、端末が利用する通信サービスに基づいて、通信制御装置が選択する制御信号伝送装置選択ステップと、ユーザ信号伝送装置を、端末が利用する通信サービスに基づいて、制御信号伝送装置選択ステップにより選択された制御信号伝送装置が選択するユーザ信号伝送装置選択ステップと、を含む。【００１０】
また、本発明の一実施形態に係る通信システムは、通信制御装置と、端末が利用する通信サービスのための制御信号を伝送する経路である制御プレーンを用いて当該制御信号を送受信する複数の制御信号伝送装置と、通信サービスのためのユーザ信号を伝送する経路であるユーザプレーンを用いて当該ユーザ信号を送受信する複数のユーザ信号伝送装置とを含む通信システムであって、通信制御装置は、制御信号伝送装置を、端末が利用する通信サービスに基づいて、複数の制御信号伝送装置から選択する制御信号伝送装置選択手段、を備え、制御信号伝送装置は、制御信号伝送装置選択手段により選択された場合に、ユーザ信号伝送装置を、端末が利用する通信サービスに基づいて、自機以外の制御信号伝送装置から選択するユーザ信号伝送装置選択手段、を備える。【００１１】
この発明によれば、制御信号伝送装置を、端末が利用する通信サービスに基づいて選択し、さらにユーザ信号伝送装置を上記サービスに基づいて選択するので、通信サービスにより動的に、プレーン毎に制御信号伝送装置及びユーザ信号伝送装置を選択することができる。【００１２】
上述の課題を解決するために、本発明の一実施形態に係るゲートウェイ選択方法は、端末が利用する通信サービスのための制御信号を伝送する経路である制御プレーンを用いて当該制御信号を送受信する第１サービングゲートウェイを、端末が利用する通信サービスに基づいて、通信制御装置が選択する第１ゲートウェイ選択ステップと、通信サービスのためのユーザ信号を伝送する経路であるユーザプレーンを用いて当該ユーザ信号を送受信する第２サービングゲートウェイを、端末が利用する通信サービスに基づいて、第１ゲートウェイ選択ステップにより選択された第１サービングゲートウェイが選択する第２ゲートウェイ選択ステップと、を含む。【００１３】
また、本発明の一実施形態に係る通信システムは、通信制御装置と、複数のゲートウェイとを含む通信システムであって、通信制御装置は、端末が利用する通信サービスのための制御信号を伝送する経路である制御プレーンを用いて当該制御信号を送受信する第１サービングゲートウェイを、端末が利用する通信サービスに基づいて、複数のゲートウェイから選択する第１ゲートウェイ選択手段、を備え、ゲートウェイは、第１ゲートウェイ選択手段により第１サービングゲートウェイとして選択された場合に、通信サービスのためのユーザ信号を伝送する経路であるユーザプレーンを用いて当該ユーザ信号を送受信する第２サービングゲートウェイを、端末が利用する通信サービスに基づいて、自機以外のゲートウェイから選択する第２ゲートウェイ選択手段、を備える。【００１４】
この発明によれば、第１サービングゲートウェイを、端末が利用する通信サービスに基づいて選択し、さらに第２サービングゲートウェイを上記サービスに基づいて選択するので、通信サービスにより動的に、プレーン毎にゲートウェイを選択することができる。【００１５】
また、本発明の一実施形態に係るゲートウェイ選択方法において、第１ゲートウェイ選択ステップでは、通信制御装置は、端末が利用する通信サービスと、当該通信サービスに適合する第１サービングゲートウェイとを対応付けた情報に基づいて第１サービングゲートウェイを選択し、第２ゲートウェイ選択ステップでは、選択された第１サービングゲートウェイは、端末が利用する通信サービスと、当該通信サービスに適合する第２サービングゲートウェイとを対応付けた情報に基づいて第２サービングゲートウェイを選択してもよい。この場合、通信サービスと、当該通信サービスに適合する第１サービングゲートウェイとを対応付けた情報に基づいて第１サービングゲートウェイを選択し、通信サービスと、当該通信サービスに適合する第１サービングゲートウェイとを対応付けた情報に基づいて第１サービングゲートウェイを選択し、通信サービスと、当該通信サービスに適合する第２サービングゲートウェイとを対応付けた情報に基づいて第２サービングゲートウェイを選択し、通信サービスと、当該通信サービスに適合する第２サービングゲートウェイとを対応付けた情報に基づいて第２サービングゲートウェイを選択するので、通信サービスに適合するサービングゲートウェイを選択することができる。【００１６】
また、本発明の一実施形態に係る通信制御装置選択方法において、第１ゲートウェイ選択ステップにより選択された第１サービングゲートウェイと接続し第１サービングゲートウェイと制御信号を送受信する第１パケットデータネットワークゲートウェイを、端末が利用する通信サービスに基づいて、通信制御装置が選択する、第１パケットデータネットワークゲートウェイ選択ステップと、ユーザ信号を送受信し第１パケットデータネットワークゲートウェイ選択ステップにより選択された第１パケットデータネットワークゲートウェイと接続する第２パケットデータネットワークゲートウェイを、端末が利用する通信サービスに基づいて、第１パケットデータネットワークゲートウェイ選択ステップにより選択された第１パケットデータネットワークゲートウェイが選択する第２パケットデータネットワークゲートウェイ選択ステップと、をさらに含んでもよい。【００１７】
この場合、第１パケットデータネットワークゲートウェイを、端末が利用する通信サービスに基づいて選択し、さらに第２パケットデータネットワークゲートウェイを上記サービスに基づいて選択するので、通信サービスにより動的に、プレーン毎にゲートウェイを選択することができる。【００１８】
本発明の一実施形態に係る伝送装置選択方法は、通信制御装置と、端末が利用する通信サービスのための制御信号を伝送する経路である制御プレーンを用いて当該制御信号を送受信する複数の制御信号伝送装置と、通信サービスのためのユーザ信号を伝送する経路であるユーザプレーンを用いて当該ユーザ信号を送受信する複数のユーザ信号伝送装置とを含む通信システムにおいて制御信号伝送装置及びユーザ信号伝送装置を選択する伝送装置選択方法であって、制御信号伝送装置を、端末が利用する通信サービスの要件に基づいて、通信制御装置が選択する制御信号伝送装置選択ステップと、ユーザ信号伝送装置を、端末が利用する通信サービスの要件に基づいて、制御信号伝送装置選択ステップにより選択された制御信号伝送装置が選択するユーザ信号伝送装置選択ステップと、を含む。【００１９】
また、本発明の一実施形態に係る通信システムは、通信制御装置と、端末が利用する通信サービスのための制御信号を伝送する経路である制御プレーンを用いて当該制御信号を送受信する複数の制御信号伝送装置と、通信サービスのためのユーザ信号を伝送する経路であるユーザプレーンを用いて当該ユーザ信号を送受信する複数のユーザ信号伝送装置とを含む通信システムであって、通信制御装置は、制御信号伝送装置を、端末が利用する通信サービスの要件に基づいて、複数の制御信号伝送装置から選択する制御信号伝送装置選択手段、を備え、制御信号伝送装置は、制御信号伝送装置選択手段により選択された場合に、ユーザ信号伝送装置を、端末が利用する通信サービスの要件に基づいて、自機以外の制御信号伝送装置から選択するユーザ信号伝送装置選択手段、を備える。【００２０】
この発明によれば、制御信号伝送装置を、端末が利用する通信サービスの要件に基づいて選択し、さらにユーザ信号伝送装置を上記サービスの要件に基づいて選択するので、通信サービスの要件により動的に、プレーン毎に制御信号伝送装置及びユーザ信号伝送装置を選択することができる。【００２１】
また、本発明の一実施形態に係るゲートウェイ選択方法は、端末が利用する通信サービスのための制御信号を伝送する経路である制御プレーンを用いて当該制御信号を送受信する第１サービングゲートウェイを、端末が利用する通信サービスの要件に基づいて、通信制御装置が選択する第１ゲートウェイ選択ステップと、通信サービスのためのユーザ信号を伝送する経路であるユーザプレーンを用いて当該ユーザ信号を送受信する第２サービングゲートウェイを、端末が利用する通信サービスの要件に基づいて、第１ゲートウェイ選択ステップにより選択された第１サービングゲートウェイが選択する第２ゲートウェイ選択ステップと、を含む。【００２２】
また、本発明の一実施形態に係る通信システムは、通信制御装置と、複数のゲートウェイとを含む通信システムであって、通信制御装置は、端末が利用する通信サービスのための制御信号を伝送する経路である制御プレーンを用いて当該制御信号を送受信する第１サービングゲートウェイを、端末が利用する通信サービスの要件に基づいて、複数のゲートウェイから選択する第１ゲートウェイ選択手段、を備え、ゲートウェイは、第１ゲートウェイ選択手段により第１サービングゲートウェイとして選択された場合に、通信サービスのためのユーザ信号を伝送する経路であるユーザプレーンを用いて当該ユーザ信号を送受信する第２サービングゲートウェイを、端末が利用する通信サービスの要件に基づいて、自機以外のゲートウェイから選択する第２ゲートウェイ選択手段、を備える。【００２３】
この発明によれば、第１サービングゲートウェイを、端末が利用する通信サービスの要件に基づいて選択し、さらに第２サービングゲートウェイを上記サービスの要件に基づいて選択するので、通信サービスの要件により動的に、プレーン毎にゲートウェイを選択することができる。
【発明の効果】
【００２４】
本発明によれば、１つのＵＥが要求する複数の通信サービスにより動的に、プレーン毎にゲートウェイを選択することができる。
【図面の簡単な説明】
【００２５】
【図１】本発明の第１実施形態に係る通信システムのシステム構成を示す図である。
【図２】ＨＳＳ４０が記憶する情報のデータ構造を示す図である。
【図３】ＤＮＳサーバ５０が記憶する情報のデータ構造を示す図である。
【図４】本発明の実施形態に係る通信システムの一部の装置の機能ブロックを示す図である。
【図５】通信システムのハードウェア構成を説明する図である。
【図６】ＭＭＥ３０によるクエリ処理を示すフローチャートである。
【図７】ＳＧＷ−Ｃ６０及びＳＧＷ−Ｕ７０と接続する処理を示すフローチャートである。
【図８】本発明の第２実施形態に係る通信システムのシステム構成を示す図である。
【図９】変形例におけるテーブルを示す図である。
【図１０】通信制御装置１３０によるクエリ処理を示すシーケンス図である。
【発明を実施するための形態】
【００２６】
以下、添付図面を参照して、本発明を実施するための形態を詳細に説明する。なお、図面の説明においては同一要素には同一符号を付し、重複する説明を省略する。
【００２７】
［第１実施形態］
図１は、本発明の第１実施形態の通信システム１（通信システム）のシステム構成図である。この通信システム１は、ＵＥ１０、ｅＮｏｄｅＢ（ｅＮＢ）２０、ＭＭＥ（Mobility  Management  Entity）３０（通信制御装置）、ＨＳＳ４０、ＤＮＳサーバ５０、ＳＧＷ−Ｃ６０（ゲートウェイ、第１サービングゲートウェイ）、ＳＧＷ−Ｕ７０（第２サービングゲートウェイ）、ＰＧＷ−Ｃ８０、及びＰＧＷ−Ｕ９０を含んで構成されている。スマートフォン、タブレット端末を含むＵＥ（User  Equipment）１０（端末）は、この通信システム１と通信接続することにより通信を行うことができる。また、ＵＥ１０は、自装置が使用可能な複数の通信サービスを示す情報を記憶しており、当該情報をｅＮｏｄｅＢ２０へ送信する。通信サービスとは、通信を用いたサービスであり、動画配信、車車間通信等のサービスである。それぞれのサービスにおいて、要求されるネットワーク要件が異なる。ＵＥ１０は、通信サービスを示す情報として、上記ネットワーク要件を示す情報であるサービスタイプを記憶している。
【００２８】
ｅＮｏｄｅＢ２０は、ＭＭＥ３０に接続された無線基地局であるとともに、無線アクセス制御機能を有した装置である。ｅＮｏｄｅＢ２０は、ＵＥ１０から発信があった際の受付制御機能、および他のＵＥ１０からＵＥ１０に着信があった際にＵＥ１０を呼び出すページング機能を基本機能として有している。また、ｅＮｏｄｅＢ２０は、ＭＭＥ３０のアドレスを記憶しており、ＵＥ１０からアタッチ要求を受け付けた場合に、当該アドレス宛にアタッチ要求をする。
【００２９】
ＭＭＥ３０は、ＵＥ１０からアタッチ要求（位置登録要求）があった際に、ｅＮｏｄｅＢ２０を介してＵＥ１０と接続される装置である。ＭＭＥ３０は、ＬＴＥ（Long  Term  Evolution）ネットワークに在圏するＵＥ１０の位置管理、認証制御、及びＳＧＷ８０とｅＮｏｄｅＢ２０との間の制御データ又はユーザデータの通信経路の設定処理を行う部分である。
【００３０】
また、ＭＭＥ３０は、後述する処理により決定したＳＧＷ−Ｃ６０に対してユーザデータの経路設定処理を行う。また、ＭＭＥ３０は、ｅＮｏｄｅＢ２０から取得したサービスタイプに対応するＳＧＷ−Ｃ６０のアドレスをＤＮＳサーバ５０から取得し、取得したアドレス宛てに接続する。
【００３１】
ＨＳＳ４０は、ＵＥ１０等の通信端末の契約情報、認証情報、通信サービス情報、端末タイプ情報及び在圏情報を含む加入者情報をデータベースで管理するサーバである。ここで、通信サービス情報とは、各ＵＥ１０が利用する通信サービスのタイプを定義した情報である。通信サービス情報には、ＵＥ１０を識別する情報（例えば、ＩＭＳＩ（International  Mobile  Subscriber  Identity））と、当該ＵＥ１０が利用する通信サービスの要件を示すサービスタイプとが含まれる。この情報の例を図２に示す。図２に示すように、通信サービス情報は、端末を識別するＩＭＳＩと、サービスタイプ（service  type）とを有する。図２に示す例では、ＩＭＳＩが「ABC」であるＵＥ１０のユーザが、「low  latency」と「no  mobility」のサービスタイプの通信サービスを利用できることを示している。すなわち、このユーザは、複数の通信サービスを利用することができる。ＨＳＳ４０は、ＭＭＥ３０から端末ＩＤを取得すると共にサービスタイプの取得要求を受け付けると、当該端末ＩＤに対応するサービスタイプを当該ＭＭＥ３０へ送信する。また、ＨＳＳ４０は、端末タイプ情報として、ＩＭＳＩとUE  Usage  Typeとを対応付けた情報も有する。
【００３２】
ＤＮＳサーバ５０は、ネットワーク上でドメイン名、ホスト名およびＩＰアドレスとの対応関係を管理するコンピュータである。さらにＤＮＳサーバ５０は、サービスタイプとＳＧＷ−Ｃ６０のアドレスとを対応付けた情報（ＳＧＷ−Ｃ情報）、サービスタイプとＳＧＷ−Ｕ７０のアドレスとを対応付けた情報（ＳＧＷ−Ｕ情報）、サービスタイプとＰＧＷ−Ｃ８０のアドレスとを対応付けた情報（ＰＧＷ−Ｃ情報）、及びサービスタイプとＰＧＷ−Ｕ９０のアドレスとを対応付けた情報（ＰＧＷ−Ｕ情報）を記憶している。ここで、図３にＳＧＷ−Ｃ情報の例を示す。図３に示すように、サービスタイプを示す「Service  type」とＳＧＷ−Ｃ６０のアドレスを示す「Address」とを対応付けて記憶している。なお、ＳＧＷ−Ｕ情報、ＰＧＷ−Ｃ情報、及びＰＧＷ−Ｕ情報も、ＳＧＷ−Ｃ情報と同様のデータ構造である。
【００３３】
ＤＮＳサーバ５０は、サービスタイプを受信すると共にＭＭＥ３０からＳＧＷ−Ｃ６０のアドレスの送信要求を受け付けると、ＳＧＷ−Ｃ情報を参照し、当該サービスタイプに対応する（すなわち、サービスタイプに適合する）ＳＧＷ−Ｃ６０のアドレスのリストをＭＭＥ３０へ送信する。また、ＤＮＳサーバ５０は、サービスタイプを受信すると共にＳＧＷ−Ｃ６０からＳＧＷ−Ｕ７０のアドレスの送信要求を受け付けると、ＳＧＷ−Ｕ情報を参照し、当該サービスタイプに対応するＳＧＷ−Ｕ７０のアドレスのリストをＳＧＷ−Ｃ６０へ送信する。また、ＤＮＳサーバ５０は、ＭＭＥ３０からサービスタイプを受信すると共にＰＧＷ−Ｃ８０のアドレスの送信要求を受け付けると、ＰＧＷ−Ｃ情報を参照し、当該サービスタイプに対応するＰＧＷ−Ｃ８０のアドレスのリストをＭＭＥ３０へ送信する。また、ＤＮＳサーバ５０は、ＰＧＷ−Ｃ８０からサービスタイプを受信すると共にＰＧＷ−Ｕ９０のアドレスの送信要求を受け付けると、ＰＧＷ−Ｕ情報を参照し、当該サービスタイプに対応するＰＧＷ−Ｕ９０のアドレスのリストをＰＧＷ−Ｃ８０へ送信する。
【００３４】
なお、ＤＮＳサーバ５０は、ＳＧＷ−Ｃ６０、ＳＧＷ−Ｕ７０、ＰＧＷ−Ｃ８０、及びＰＧＷ−Ｕ９０からトラフィック情報を定期的に取得しており、当該トラフィック情報に基づいてアドレスのリストを生成する。例えば、ＤＮＳサーバ５０は、トラフィック情報が示す負荷が少ない順にリストを生成する。
【００３５】
ＳＧＷ−Ｃ６０は、ＬＴＥを収容する在圏パケット交換機で、ＰＧＷ（Packet  data  network  gateway）との間で、ＵＥ１０が利用する通信サービス提供に利用される制御信号を伝送する経路である制御プレーンを用いて当該制御信号を送受信する。ＳＧＷ−Ｃ６０は、複数の通信サービスの要件に対応して複数設けられている。
【００３６】
ＳＧＷ−Ｕ７０は、ＬＴＥを収容する在圏パケット交換機で、ＰＧＷとの間で、ＵＥ１０が利用する通信サービス提供に利用されるユーザ信号を伝送する経路であるユーザプレーンを用いて当該ユーザ信号を送受信する。ＳＧＷ−Ｕ７０は、複数の通信サービスの要件に対応して複数設けられている。
【００３７】
ＰＧＷ−Ｃ８０は、ＰＤＮ（Packet  data  network）との接合点であり、ＩＰアドレスの割当て、ＳＧＷ−Ｃ６０へのパケット転送などを行うゲートウェイである。すなわち、ＰＧＷ−Ｃ８０は、ＳＧＷ−Ｃ６０と接続しＳＧＷ−Ｃ６０と制御信号を送受信する。ＰＧＷ−Ｃ８０は、複数の通信サービスの要件に対応して複数設けられている。
【００３８】
ＰＧＷ−Ｕ９０は、ＰＤＮとの接合点であり、ＩＰアドレスの割当て、ＳＧＷ−Ｕ７０へのパケット転送などを行うゲートウェイである。すなわち、ＰＧＷ−Ｕ９０は、ＳＧＷ−Ｕ７０と接続し、ＳＧＷ−Ｃ７０とユーザ信号を送受信する。ＰＧＷ−Ｕ９０は、複数の通信サービスの要件に対応して複数設けられている。
【００３９】
次に、図４を参照しながら、通信システム１において特徴を有するＭＭＥ３０、ＳＧＷ−Ｃ６０、及びＰＧＷ−Ｃ８０の構成要素について説明する。
【００４０】
図４に示すように、ＭＭＥ３０は、接続制御部３１、アドレス要求部３２、アドレス受信部３３、及び選択部３４（第１ゲートウェイ選択手段）を含んで構成される。また、ＳＧＷ−Ｃ６０は、接続制御部６１、アドレス要求部６２、アドレス受信部６３、及び選択部６４（第２ゲートウェイ選択手段）を含んで構成される。また、ＰＧＷ−Ｃ８０は、接続制御部８１、アドレス要求部８２、アドレス受信部８３、及び選択部８４を含んで構成される。
【００４１】
物理的には、ＭＭＥ３０、ＳＧＷ−Ｃ６０、及びＰＧＷ−Ｃ８０は、それぞれ図５に示すように、一又は複数のＣＰＵ１０１、主記憶装置であるＲＡＭ１０２およびＲＯＭ１０３、データ送受信デバイスである通信モジュール１０４（Transmitter  or  Receiver）、ハードディスク、フラッシュメモリ等に例示される補助記憶装置１０５（Memory）、入力デバイスであるタッチパネルおよびキーボード等に例示される入力装置１０６、ディスプレイ等の出力装置１０７などを含むコンピュータシステムとして構成されている。ＭＭＥ３０、ＳＧＷ−Ｃ６０、及びＰＧＷ−Ｃ８０では、図５に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２および補助記憶装置１０５におけるデータの読み出しおよび書き込みを行うことで、各装置における一連の機能が実現される。
【００４２】
なお、ＣＰＵ１０１などのプロセッサ（Processor）が図４における各機能を実行することに代えて、その機能全部または一部を専用の集積回路（ＩＣ：integrated  circuit）を構築することにより各機能を実行するように構成してもよい。例えば、画像処理および通信制御を行なうための専用の集積回路を構築することにより上記機能を実行するようにしてもよい。
【００４３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００４４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００４５】
図４に戻り、接続制御部３１は、各種装置との接続制御をする部分である。具体的には、接続制御部３１は、ｅＮｏｄｅＢ２０からＵＥ１０のアタッチ要求に応じて、ＵＥ１０が利用するサービスタイプに対応するＳＧＷ−Ｃ６０に対して接続要求をする。また、接続制御部３１は、ＳＧＷ−Ｃ６０に対して接続要求をする際に、サービスタイプを送信すると共にＰＧＷ−Ｃ８０のアドレスも送信する。
【００４６】
また、接続制御部３１は、アタッチ要求を受け付ける際に、ｅＮｏｄｅＢ２０から通信サービスを示す情報（サービスタイプ）を受信する。接続制御部３１は、取得したサービスタイプをアドレス要求部３２へ送出する。
【００４７】
アドレス要求部３２は、接続制御部３１からサービスタイプを受け取り、当該サービスタイプをＤＮＳサーバ５０へ送信すると共に、ＳＧＷ−Ｃ６０及びＰＧＷ−Ｃ８０のアドレスの送信要求を行う部分である。
【００４８】
ＤＮＳサーバ５０は、上記の送信要求を受信すると、受信したサービスタイプに対応するＳＧＷ−Ｃ６０のアドレス及びＰＧＷ−Ｃ８０のアドレスを検索し、当該検索結果をＭＭＥ３０へ送信する。
【００４９】
アドレス受信部３３は、ＤＮＳサーバ５０からＳＧＷ−Ｃ６０のアドレス及びＰＧＷ−Ｃ８０を受信する部分である。アドレス要求部３２によって、アドレス要求がなされた後に、ＤＮＳサーバ５０によってアドレスが送信されると、アドレス受信部３３は、当該アドレスを受信する。アドレス受信部３３は、上記アドレスを受信すると、当該アドレスを選択部３４へ送出する。
【００５０】
選択部３４は、アドレス受信部３３から取得したＳＧＷ−Ｃ６０のアドレス及びＰＧＷ−Ｃ８０アドレスを取得し、当該取得したアドレスの中からＳＧＷ−Ｃ６０を選択し、ＰＧＷ−Ｃ８０を選択する。選択部３４は、選択した結果を接続制御部３１へ送出する。
【００５１】
接続制御部６１は、各種装置との接続制御をする部分である。具体的には、接続制御部６１は、ＭＭＥ３０からの接続要求を受け付け、この接続要求の応答をする。また、接続制御部６１は、ＳＧＷ−Ｕ７０及びＰＧＷ−Ｃ８０に対して接続要求をする。また、接続制御部６１は、ＭＭＥ３０からのベアラ変更要求を受け付け、このベアラ変更要求の応答をする。
【００５２】
また、接続制御部６１は、ＭＭＥ３０からの接続要求を受け付ける際に、ＭＭＥ３０からＰＧＷ−Ｃ８０のアドレスを受信すると共にサービスタイプを受信する。接続制御部６１は、受信したサービスタイプをアドレス要求部６２へ送出する。
【００５３】
アドレス要求部６２は、接続制御部６１からサービスタイプを受け取り、当該サービスタイプをＤＮＳサーバ５０へ送信すると共に、ＳＧＷ−Ｕ７０のアドレスの送信要求を行う部分である。
【００５４】
ＤＮＳサーバ５０は、上記の送信要求を受信すると、受信したサービスタイプに対応するＳＧＷ−Ｕ７０のアドレスを検索し、当該検索結果をＳＧＷ−Ｃ６０へ送信する。
【００５５】
アドレス受信部６３は、ＤＮＳサーバ５０からＳＧＷ−Ｕ７０のアドレスを受信する部分である。アドレス要求部６２によって、アドレス要求がなされた後に、ＤＮＳサーバ５０によってアドレスが送信されると、アドレス受信部６３は、当該アドレスを受信する。アドレス受信部６３は、上記アドレスを受信すると、当該アドレスを選択部６４へ送出する。
【００５６】
選択部６４は、アドレス受信部６３から取得したＳＧＷ−Ｕ７０のアドレスを取得し、当該取得したアドレスの中からＳＧＷ−Ｕ７０を選択する。選択部６４は、選択した結果を接続制御部６１へ送出する。
【００５７】
接続制御部８１は、各種装置との接続制御をする部分である。具体的には、接続制御部８１は、ＳＧＷ−Ｃ６０からの接続要求を受け付け、この接続要求の応答をする。また、接続制御部８１は、ＰＧＷ−Ｕ９０に対して接続要求をする。
【００５８】
また、接続制御部８１は、ＳＧＷ−Ｃ６０からの接続要求を受け付ける際に、サービスタイプを受信する。接続制御部８１は、受信したサービスタイプをアドレス要求部８２へ送出する。
【００５９】
アドレス要求部８２は、接続制御部８１からサービスタイプを受け取り、当該サービスタイプをＤＮＳサーバ５０へ送信すると共に、ＰＧＷ−Ｕ９０のアドレスの送信要求を行う部分である。
【００６０】
ＤＮＳサーバ５０は、上記の送信要求を受信すると、受信したサービスタイプに対応するＰＧＷ−Ｕ９０のアドレスを検索し、当該検索結果をＰＧＷ−Ｃ８０へ送信する。
【００６１】
アドレス受信部８３は、ＤＮＳサーバ５０からＰＧＷ−Ｕ９０のアドレスを受信する部分である。アドレス要求部８２によって、アドレス要求がなされた後に、ＤＮＳサーバ５０によってアドレスが送信されると、アドレス受信部８３は、当該アドレスを受信する。アドレス受信部８３は、上記アドレスを受信すると、当該アドレスを選択部８４へ送出する。
【００６２】
選択部８４は、アドレス受信部８３から取得したＰＧＷ−Ｕ９０のアドレスを取得し、当該取得したアドレスの中からＰＧＷ−Ｕ９０を選択する。選択部８４は、選択した結果を接続制御部８１へ送出する。
【００６３】
次に、図６及び図７を用いて、上記の通信システム１における通信制御装置選択方法を説明する。図６は、ＵＥ１０が、サービスタイプを送信する場合におけるアタッチ処理を示すシーケンス図であり、図７は、ＭＭＥ３０が接続要求する処理を示すシーケンス図である。
【００６４】
まず、図６を参照しながら、ＵＥ１０が、サービスタイプを送信する場合におけるアタッチ処理を説明する。
【００６５】
まず、ＵＥ１０は、ｅＮｏｄｅＢ２０に対してAttach  Request信号と共に、自装置によって記憶されているサービスタイプを送信することによりアタッチ要求をする（ステップＳ１）。なお、ＵＥ１０は、複数のサービスタイプを記憶している場合、複数のサービスタイプを送信する。ｅＮｏｄｅＢ２０は、上記アタッチ要求に応じて、ＭＭＥ３０に対してInitial  UE信号によりアタッチ要求（Attach  Request）をする（ステップＳ２）。
【００６６】
続いて、アドレス要求部３２は、接続制御部３１によって取得された全てのサービスタイプをＤＮＳサーバ５０へ送信すると共にＳＧＷ−Ｃ６０及びＰＧＷ−Ｃ８０のアドレス要求（DNS  query  request）をする（ステップＳ３）。ＤＮＳサーバ５０は、当該アドレス要求に応じて、ＳＧＷ−Ｕ７０及びＰＧＷ−Ｃ８０のアドレスのリストをＭＭＥ３０に対して送信する（ステップＳ４）。
【００６７】
ＭＭＥ３０は、Reroute  Command信号をｅＮｏｄｅＢ２０へ送信する（ステップＳ５）。続いて、ＵＥ１０、ｅＮｏｄｅＢ２０、ＭＭＥ３０及びＨＳＳ４０の間で、ＵＥ１０の新たな認証（再認証  Authentication）を行う（ステップＳ６）。
【００６８】
続いて、図７を用いて、ＭＭＥ３０が接続要求する処理について説明する。まず、ＭＭＥ３０は、ＤＮＳサーバ５０から受信したＳＧＷ−Ｃ６０のアドレスを選択すると共にＰＧＷ−Ｃ８０のアドレスを選択し、ＰＧＷ−Ｃ８０のアドレスを送信すると共にＳＧＷ−Ｃ６０に対してベアラ確立依頼をする（ステップＳ７：第１ゲートウェイ選択ステップ、第１パケットデータネットワークゲートウェイ選択ステップ）。ＳＧＷ−Ｃ６０は、ＤＮＳサーバ５０に対して、サービスタイプを送信すると共にＳＧＷ−Ｕ７０のリスト送信要求をする（ステップＳ８）。ＤＮＳサーバ５０は、ＳＧＷ−Ｕ７０のリストをＳＧＷ−Ｃ６０へ送信し、ＳＧＷ−Ｃ６０は、当該リストからＳＧＷ−Ｕ７０のアドレスを選択する（ステップＳ９：第２ゲートウェイ選択ステップ）。ＳＧＷ−Ｃ６０は、ＰＧＷ−Ｃ８０へベアラ確立要求をする。この際に、ＳＧＷ−Ｃ６０は、ＴＥＩＤを生成し、当該ＴＥＩＤ及びＳＧＷ−Ｕ７０のアドレスを送信する（ステップＳ１０）。
【００６９】
ＰＧＷ−Ｃ８０は、ＤＮＳサーバ５０に対して、サービスタイプを送信すると共にＳＧＷ−Ｕ７０のリスト送信要求をする（ステップＳ１１）。ＤＮＳサーバ５０は、ＰＧＷ−Ｕ９０のリストをＰＧＷ−Ｃ８０へ送信する（ステップＳ１２）。ＰＧＷ−Ｃ８０は、リストからＰＧＷ−Ｕ９０のアドレスを決めて、ＴＥＩＤを決定し、トンネル確立のためのＳＧＷ−Ｕ７０およびＰＧＷ−Ｕ９０のアドレスと、ＴＥＩＤを送る（ステップＳ１３：第２パケットデータネットワークゲートウェイ選択ステップ）。ＰＧＷ−Ｕ９０は、ＰＧＷ−Ｃ８０に対してトンネルが作成されたことを通知する（ステップＳ１４）。ＰＧＷ−Ｃ８０は、ＳＧＷ−Ｃ６０に対してトンネルが作成されたことを通知すると共に、ＰＧＷ−Ｕ９０のＴＥＩＤを送信する（ステップＳ１５）。ＳＧＷ−Ｃ６０は、ＭＭＥ３０及びｅＮｏｄｅＢ２０に対して接続すべきＳＧＷ−Ｕ７０のアドレスとＴＥＩＤを通知する（ステップＳ１６、ステップＳ１７）。ｅＮｏｄｅＢ２０は、ＵＥ１０との間にベアラを確立する（ステップＳ１８）。トンネル確立のためのｅＮｏｄｅＢ２０のアドレスとＴＥＩＤを決定し、ＭＭＥ３０経由でＳＧＷ−Ｕ７０に送る（ステップＳ１９、ステップＳ２０）。続いて、ＳＧＷ−Ｕ７０とｅＮｏｄｅＢ２０間にトンネルを確立し，ＰＧＷ−Ｕ９０に対しｅＮｏｄｅＢ２０、ＳＧＷ−Ｕ７０のアドレスとＴＥＩＤを送り、ＰＧＷ−Ｕ９０〜ｅＮｏｄｅＢ２０間のトンネル確立を依頼する（ステップＳ２１）。続いて、ＳＧＷ−Ｕ７０からＳＧＷ−Ｃ６０を経由して、ＭＭＥ３０に対して確立されたことを通知する（ステップＳ２２、ステップＳ２３）。
【００７０】
上述の実施形態に係る通信システム１によれば、ＳＧＷ−Ｃ６０を、ＵＥ１０が利用する通信サービスの要件に基づいて選択し、さらにＳＧＷ−Ｕ７０を上記サービスの要件に基づいて選択するので、通信サービスの要件により動的に、プレーン毎にゲートウェイを選択することができる。
【００７１】
また、通信サービスの要件と、当該通信サービスに適合するＳＧＷ−Ｃ６０とを対応付けた情報に基づいてＳＧＷ−Ｃ６０を選択し、通信サービスの要件と、当該通信サービスに適合するＳＧＷ−Ｃ６０とを対応付けた情報に基づいてＳＧＷ−Ｃ６０を選択し、通信サービスの要件と、当該通信サービスに適合するＳＧＷ−Ｕ７０とを対応付けた情報に基づいてＳＧＷ−Ｕ７０を選択し、通信サービスの要件と、当該通信サービスに適合するＳＧＷ−Ｕ７０とを対応付けた情報に基づいてＳＧＷ−Ｕ７０を選択するので、通信サービスの要件に適合するＳＧＷ−Ｕ７０を選択することができる。
【００７２】
また、ＰＧＷ−Ｃ８０を、端末が利用する通信サービスの要件に基づいて選択し、さらにＰＧＷ−Ｕ９０を上記サービスの要件に基づいて選択するので、通信サービスの要件により動的に、プレーン毎にゲートウェイを選択することができる。
【００７３】
［第２実施形態］
上述の第１実施形態では、ＭＭＥ３０が、ＳＧＷ−Ｃ６０を、ＵＥ１０が利用する通信サービスの要件に基づいて選択して、選択されたＳＧＷ−Ｃ６０が、ＳＧＷ−Ｕ７０を上記サービスの要件に基づいて選択する場合について述べた。本実施形態では、図８に示す通信システムのシステム構成図に示す、ＭＭＥ３０に対応する通信制御装置（Common  CP-Functionalities）１３０が、ＳＧＷ−Ｃ６０に対応する第１制御信号伝送装置１６０を選択する。ここで、制御信号伝送装置（CP-Functionalities）とは、ＵＥ１０が利用する通信サービス提供に利用される制御信号を伝送する経路である制御プレーンを用いて当該制御信号を送受信するノードである。ＭＭＥ３０によって選択された第１制御信号伝送装置１６０は、ＳＧＷ−Ｕ７０に対応する第１ユーザ信号伝送装置１７０を選択する。ここで、ユーザ信号伝送装置（UP-Functionalities）とは、ＵＥ１０が利用する通信サービス提供に利用されるユーザ信号を伝送する経路であるユーザプレーンを用いて当該ユーザ信号を送受信するノードである。また、通信制御装置１３０は、ＰＧＷ−Ｃ８０に対応する第２制御信号伝送装置１８０を選択する。また、選択された第２制御信号伝送装置１８０は、ＰＧＷ−Ｕ９０に対応する第２ユーザ信号伝送装置１９０を選択する。
【００７４】
通信制御装置１３０は、図４に示した接続制御部３１、アドレス要求部３２、アドレス受信部３３、及び選択部３４のそれぞれに対応する機能を有する。なお、通信制御装置１３０は、例えば、ユーザ及びＵＥ１０の認証機能とモビリティ管理機能を有する。また、第１制御信号伝送装置１６０は、接続制御部６１、アドレス要求部６２、アドレス受信部６３及び選択部６４のそれぞれに対応する機能を有する。また、第２制御信号伝送装置１８０は、接続制御部８１、アドレス要求部８２、アドレス受信部８３、及び選択部８４のそれぞれに対応する機能を有する。
【００７５】
上記通信制御装置１３０、第１制御信号伝送装置１６０、第１ユーザ信号伝送装置１７０、第２制御信号伝送装置１８０、及び第２ユーザ信号伝送装置１９０のそれぞれは、図６及び図７に示したシーケンス図におけるＭＭＥ３０、ＳＧＷ−Ｃ６０、ＳＧＷ−Ｕ７０、ＰＧＷ−Ｃ８０、及びＰＧＷ−Ｕ９０のそれぞれと同様の処理を行なう。
【００７６】
具体的に、通信制御装置１３０は、ＵＥ１０が利用するサービスタイプを受信して、ＤＮＳサーバ５０から当該サービスタイプに対応する第１制御信号伝送装置１６０及び第２制御信号伝送装置１８０のリストを受信する。通信制御装置１３０は、当該リストから第１制御信号伝送装置１６０及び第２制御信号伝送装置１８０を選択して、第１制御信号伝送装置１６０及び第２制御信号伝送装置１８０に対してベアラ確立依頼をする。選択された第１制御信号伝送装置１６０は、ＤＮＳサーバ５０からＵＥ１０が利用するサービスタイプに対応する第１ユーザ信号伝送装置１７０のリストを取得して、当該リストから第１ユーザ信号伝送装置１７０を選択して、選択した第１ユーザ信号伝送装置１７０へセッション要求をする。また、選択された第２制御信号伝送装置１８０は、ＤＮＳサーバ５０からＵＥ１０が利用するサービスタイプに対応する第２ユーザ信号伝送装置１９０のリストを取得して、当該リストから第２ユーザ信号伝送装置１９０を選択して、選択した第２ユーザ信号伝送装置１９０へセッション要求をする。
【００７７】
上述の第２実施形態によれば、通信制御装置１３０は、制御信号伝送装置（第１制御信号伝送装置１６０及び第２制御信号伝送装置１８０）を、ＵＥ１０が利用するサービスタイプに基づいて選択し、さらにユーザ信号伝送装置（第１ユーザ信号伝送装置１７０及び第２ユーザ信号伝送装置１９０）を上記サービスタイプに基づいて選択するので、サービスタイプにより動的に、プレーン毎に制御信号伝送装置及びユーザ信号伝送装置を選択することができる。
【００７８】
［変形例］
上述の実施形態では、ＭＭＥ３０がサービスタイプを受信し、当該サービスタイプをＤＮＳサーバ５０へ送信することにより、ＳＧＷ−Ｃ６０及びＰＧＷ−Ｃ８０のアドレス要求をする場合について述べたが、ＭＭＥ３０が、サービスタイプとは異なるサービスを示す情報をＤＮＳサーバ５０へ送信して、ＳＧＷ−Ｃ６０及びＰＧＷ−Ｃ８０のアドレス要求をするようにしてもよい。すなわち、サービスタイプとは異なるサービスを示す情報を用いることにより、ＳＧＷ−Ｃ６０及びＰＧＷ−Ｃ８０を選択するようにしてもよい。
【００７９】
例えば、図９（ａ）に示すような、サービスタイプとＡＰＮ（Access  Point  Name）とを対応付けたテーブル（ＡＰＮテーブル）又は、図９（ｂ）に示すようなサービスタイプとＤＣＮ（Dedicated  Core  Network）  ＩＤとを対応付けたテーブル（ＤＣＮテーブル）を、ＭＭＥ３０が記憶する。すなわち、サービスタイプにＡＰＮ又はＤＣＮ  ＩＤを対応付けておく。また、ＤＮＳサーバ５０が、図９（ｃ）に示すようなＡＰＮ又はＤＣＮ  ＩＤとＳＧＷ―Ｃ６０のアドレスとを対応付けたテーブルを記憶する。また、ＡＰＮ又はＤＣＮ  ＩＤとＰＧＷ−Ｃ８０のアドレスとを対応付けたテーブル、ＡＰＮ又はＤＣＮ  ＩＤとＳＧＷ―Ｕ７０のアドレスとを対応付けたテーブル、ＡＰＮ又はＤＣＮ  ＩＤとＰＧＷ―Ｕ９０のアドレスとを対応付けたテーブルもＤＮＳサーバ５０が記憶する。これらのテーブルも図９（ｃ）と同様のテーブル構造である。
【００８０】
この場合、ＭＭＥ３０は、サービスタイプを受信すると、ＡＰＮテーブル又はＤＣＮテーブルを検索して、サービスタイプに対応するＡＰＮ又はＤＣＮ  ＩＤ（サービスを示す情報）を取得する。ＭＭＥ３０は、取得したＡＰＮ又はＤＣＮ  ＩＤをＤＮＳサーバ５０へ送信すると共に、ＳＧＷ−Ｃ６０及びＰＧＷ−Ｃ８０のアドレス要求をする。ＤＮＳサーバ５０は、ＳＧＷ−Ｃテーブル及びＰＧＷ−Ｃテーブルを検索して、受信したＡＰＮ又はＤＣＮ  ＩＤに対応するアドレスを取得して、取得したアドレスをＭＭＥ３０へ送信する。
【００８１】
ＭＭＥ３０は、受信したアドレスに対応するＳＧＷ−Ｃ６０へ取得したＡＰＮ又はＤＣＮ  ＩＤを送信する。ＳＧＷ−Ｃ６０は、取得したＡＰＮ又はＤＣＮ  ＩＤをＤＮＳサーバ５０へ送信すると共に、ＳＧＷ−Ｕ７０のアドレス要求をする。
【００８２】
また、通信制御装置１３０が、上記の例のように、ＡＰＮテーブル又はＤＣＮテーブルを記憶して、受信したサービスタイプに対応するＡＰＮ又はＤＣＮ  ＩＤをＤＮＳサーバ５０へ送信して、アドレス要求をするようにしてもよい。
【００８３】
なお、上記のＡＰＮ、ＤＣＮ  ＩＤに限らず、サービスを示す他の情報（例えば、UE  Usage  Type）ならびにコアネットワークが保持する他の情報要素を用いてもよい。また、一の情報だけでなく、複数組み合わせたサービスを示す情報を用いてもよい。例えば、ＤＣＮ  ＩＤの代わりに、ＵＥ１０を利用するユーザが所属する団体・会社等を示すＩＤ（Ｃｌｉｅｎｔ  ＩＤ）を用いてもよい。また、当該Ｃｌｉｅｎｔ  ＩＤと、サービスタイプとに基づいて一意に接続先が定まるようにしてもよい。また、ＡＰＮの代わりにアドレスを示す名称であるＤＮＮ（Ｄｏｍａｉｎ  Ｎａｍｅ  Ｎｅｔｗｏｒｋ）を用いてもよい。
【００８４】
また、上述の実施形態では、ＭＭＥ３０がＵＥ１０からサービスタイプを受信する場合について述べたが、他の装置（例えば、ＨＳＳ４０）から取得するようにしてもよい。例えば、ＨＳＳ４０が、ＵＥ１０を識別する情報（例えば、ＩＭＳＩ）とサービスタイプとを対応付けて記憶しているものとし、ＭＭＥ３０がＵＥ１０からＩＭＳＩを受信し、当該ＩＭＳＩをＨＳＳ４０へ送信すると共に、当該ＩＭＳＩに対応するサービスタイプを取得するようにしてもよい。
【００８５】
また、上述の実施形態では、通信制御装置１３０が、制御信号伝送装置（第１制御信号伝送装置１６０及び第２制御信号伝送装置１８０）を、ＵＥ１０が利用するサービスタイプに基づいて選択し、さらに選択された制御信号伝送装置が、ユーザ信号伝送装置（第１ユーザ信号伝送装置１７０及び第２ユーザ信号伝送装置１９０）を上記サービスタイプに基づいて選択する場合について述べた。これに代えて、通信制御装置１３０が、ＵＥ１０が利用するサービスタイプに基づいて制御信号伝送装置を選択するだけでなく、当該サービスタイプに基づいてユーザ信号伝送装置も選択するようにしてもよい。この場合でも、制御信号伝送装置及びユーザ信号伝送装置を、ＵＥ１０が利用する通信サービスに基づいて選択するので、通信サービスにより動的に、プレーン毎に制御信号伝送装置及びユーザ信号伝送装置を選択することができる。
【００８６】
ここで、図１０を参照しながら、ＵＥ１０が、サービスタイプを送信する場合におけるアタッチ処理において、ＵＥ１０が利用するサービスタイプに基づいて、制御信号伝送装置及びユーザ信号伝送装置を選択する処理を説明する。
【００８７】
まず、ステップＳ３１及びステップＳ３２の処理は、図６に示したステップＳ１及びステップＳ２の処理と同様であるので、説明を省略する。
【００８８】
続いて、通信制御装置１３０は、ＵＥ１０から取得した全てのサービスタイプをＤＮＳサーバ５０へ送信すると共に第１制御信号伝送装置１６０及び第２制御信号伝送装置１８０のアドレス要求（DNS  query  request）をする（ステップＳ３３）。ＤＮＳサーバ５０は、当該アドレス要求に応じて、第１制御信号伝送装置１６０及び第２制御信号伝送装置１８０のアドレスのリストを通信制御装置１３０に対して送信する（ステップＳ３４）。また、通信制御装置１３０は、ＵＥ１０から取得した全てのサービスタイプをＤＮＳサーバ５０へ送信すると共に第１ユーザ信号伝送装置１７０及び第２ユーザ信号伝送装置１９０のアドレス要求（DNS  query  request）をする（ステップＳ３５）。ＤＮＳサーバ５０は、当該アドレス要求に応じて、第１ユーザ信号伝送装置１７０及び第２ユーザ信号伝送装置１９０のアドレスのリストを通信制御装置１３０に対して送信する（ステップＳ３６）。なお、通信制御装置１３０は、ＵＥ１０から取得した全てのサービスタイプをＤＮＳサーバ５０へ送信すると共に、第１制御信号伝送装置１６０、第２制御信号伝送装置１８０、第１ユーザ信号伝送装置１７０及び第２ユーザ信号伝送装置１９０のアドレス要求をまとめて行うようにしてもよい。
【００８９】
通信制御装置１３０は、Reroute  Command信号をｅＮｏｄｅＢ２０へ送信する（ステップＳ３７）。続いて、ＵＥ１０、ｅＮｏｄｅＢ２０、通信制御装置１３０及びＨＳＳ４０の間で、ＵＥ１０の新たな認証（再認証  Authentication）を行う（ステップＳ３８）。
【００９０】
さらに通信制御装置１３０は、ＤＮＳサーバ５０から取得したリストから第１制御信号伝送装置１６０及び第２制御信号伝送装置１８０を選択すると共に、第１ユーザ信号伝送装置１７０及び第２ユーザ信号伝送装置１９０を選択する。通信制御装置１３０は、選択した第１制御信号伝送装置１６０に対して、選択した第２制御信号伝送装置１８０、第１ユーザ信号伝送装置１７０及び第２ユーザ信号伝送装置１９０のそれぞれのアドレスを送信すると共にセッション要求する。
【００９１】
上述の実施形態に記載のｅＮｏｄｅＢ２０に代えてＲＡＮ（Radio  Access  Network）を適用するようにしてもよい。この場合、通信制御装置１３０の代わりに、ＲＡＮが、ＵＥ１０から取得する情報（例えば、サービスタイプ）ならびにコアネットワークが保持する他の情報要素を用いて、第１制御信号伝送装置１６０及び第２制御信号伝送装置１８０を選択するようにしてもよい。すなわち、ＲＡＮが制御信号伝送装置選択手段を有していてもよい。
【００９２】
なお、本明細書で説明した「情報」は、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９４】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９５】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９６】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００９７】
本明細書で使用する「第１」、「第２」などの呼称を使用した要素へのいかなる参照も、それらの要素の量または順序を全般的に限定するものではない。むしろ、これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００９８】
なお、本明細書で説明した用語及び／又は本明細書の理解に必要な用語については、同一の又は類似する意味を有する用語と置き換えてもよい。
【００９９】
本明細書で使用する「システム」および「ネットワーク」という用語は、互換的に使用される。
【０１００】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１０１】
また、上記の各装置の構成における「手段」を、「部」、「回路」、「デバイス」等に置き換えてもよい。
【０１０２】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｅ）」と同様に、包括的であることが意図される。さらに、本明細書あるいは特許請求の範囲において使用されている用語「または（or）」は、排他的論理和ではないことが意図される。
【０１０３】
本明細書において、文脈または技術的に明らかに１つのみしか存在しない装置である場合以外は、複数の装置をも含むものとする。
【０１０４】
また、本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１０５】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は削除されてもよい。入力された情報等は他の装置へ送信されてもよい。
【０１０６】
本開示の全体において、明らかに単数であることを示しているものではない限り、単数および複数の両方のものを含むものとする。
【符号の説明】
【０１０７】
１…通信システム、１０…ＵＥ（端末）、２０…ｅＮｏｄｅＢ(ｅＮＢ)、３０…ＭＭＥ、３１…接続制御部、３２…アドレス要求部、３３…アドレス受信部、３４…選択部、４０…ＨＳＳ、５０…ＤＮＳサーバ、６０…ＳＧＷ−Ｃ、６１…接続制御部、６２…アドレス要求部、６３…アドレス受信部、６４…選択部、７０…ＳＧＷ−Ｕ、８０…ＰＧＷ−Ｃ、９０…ＰＧＷ−Ｕ。
【図１】
2017141810.tif 000003
【図２】
2017141810.tif 000004
【図３】
2017141810.tif 000005
【図４】
2017141810.tif 000006
【図５】
2017141810.tif 000007
【図６】
2017141810.tif 000008
【図７】
2017141810.tif 000009
【図８】
2017141810.tif 000010
【図９】
2017141810.tif 000011
【図１０】
2017141810.tif 000012
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムにおいて制御信号伝送装置及びユーザ信号伝送装置を選択する伝送装置選択方法であって、
前記端末が利用する通信サービスの要件を示すサービスタイプに基づいて、制御信号伝送装置及びユーザ信号伝送装置を選択する伝送装置選択ステップ、
を含む伝送装置選択方法。
【請求項２】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムであって、
前記通信制御装置は、
前記端末が利用する通信サービスの要件を示すサービスタイプに基づいて、制御信号伝送装置及びユーザ信号伝送装置を選択する伝送装置選択手段、
を備える、
通信システム。
【請求項３】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムにおいて制御信号伝送装置及びユーザ信号伝送装置を選択する伝送装置選択方法であって、
制御信号伝送装置を、前記端末が利用する通信サービスの要件を示すサービスタイプに基づいて、前記通信制御装置が選択する制御信号伝送装置選択ステップと、
ユーザ信号伝送装置を、前記端末が利用する通信サービスの要件を示すサービスタイプに基づいて、前記制御信号伝送装置選択ステップにより選択された制御信号伝送装置が選択するユーザ信号伝送装置選択ステップと、
を含む伝送装置選択方法。
【請求項４】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムであって、
前記通信制御装置は、
制御信号伝送装置を、前記端末が利用する通信サービスの要件を示すサービスタイプに基づいて、前記複数の制御信号伝送装置から選択する制御信号伝送装置選択手段、
を備え、
前記制御信号伝送装置は、
前記制御信号伝送装置選択手段により選択された場合に、ユーザ信号伝送装置を、前記端末が利用する通信サービスの要件を示すサービスタイプに基づいて、自機以外の制御信号伝送装置から選択するユーザ信号伝送装置選択手段、
を備える、
通信システム。
【請求項５】
通信制御装置と、複数のゲートウェイとを含む通信システムにおいてゲートウェイを選択するゲートウェイ選択方法であって、
端末が利用する通信サービスのための制御信号を伝送する経路である制御プレーンを用いて当該制御信号を送受信する第１サービングゲートウェイを、前記端末が利用する通信サービスの要件を示すサービスタイプに基づいて、通信制御装置が選択する第１ゲートウェイ選択ステップと、
前記通信サービスのためのユーザ信号を伝送する経路であるユーザプレーンを用いて当該ユーザ信号を送受信する第２サービングゲートウェイを、前記端末が利用する通信サービスの要件を示すサービスタイプに基づいて、前記第１ゲートウェイ選択ステップにより選択された第１サービングゲートウェイが選択する第２ゲートウェイ選択ステップと、
を含むゲートウェイ選択方法。
【請求項６】
前記第１ゲートウェイ選択ステップでは、前記通信制御装置は、端末が利用する通信サービスと、当該通信サービスに適合する第１サービングゲートウェイとを対応付けた情報に基づいて第１サービングゲートウェイを選択し、
前記第２ゲートウェイ選択ステップでは、前記選択された第１サービングゲートウェイは、端末が利用する通信サービスと、当該通信サービスに適合する第２サービングゲートウェイとを対応付けた情報に基づいて第２サービングゲートウェイを選択する、
請求項５に記載のゲートウェイ選択方法。
【請求項７】
前記第１ゲートウェイ選択ステップにより選択された第１サービングゲートウェイと接続し前記第１サービングゲートウェイと前記制御信号を送受信する第１パケットデータネットワークゲートウェイを、前記端末が利用する通信サービスの要件を示すサービスタイプに基づいて、前記通信制御装置が選択する、第１パケットデータネットワークゲートウェイ選択ステップと、
前記ユーザ信号を送受信し前記第１パケットデータネットワークゲートウェイ選択ステップにより選択された第１パケットデータネットワークゲートウェイと接続する第２パケットデータネットワークゲートウェイを、前記端末が利用する通信サービスの要件を示すサービスタイプに基づいて、前記第１パケットデータネットワークゲートウェイ選択ステップにより選択された第１パケットデータネットワークゲートウェイが選択する第２パケットデータネットワークゲートウェイ選択ステップと、
をさらに含む請求項５又は６に記載のゲートウェイ選択方法。
【請求項８】
通信制御装置と、複数のゲートウェイとを含む通信システムであって、
前記通信制御装置は、
端末が利用する通信サービスのための制御信号を伝送する経路である制御プレーンを用いて当該制御信号を送受信する第１サービングゲートウェイを、前記端末が利用する通信サービスの要件を示すサービスタイプに基づいて、前記複数のゲートウェイから選択する第１ゲートウェイ選択手段、
を備え、
前記ゲートウェイは、
前記第１ゲートウェイ選択手段により第１サービングゲートウェイとして選択された場合に、前記通信サービスのためのユーザ信号を伝送する経路であるユーザプレーンを用いて当該ユーザ信号を送受信する第２サービングゲートウェイを、前記端末が利用する通信サービスの要件を示すサービスタイプに基づいて、自機以外のゲートウェイから選択する第２ゲートウェイ選択手段、
を備える、
通信システム。
【請求項９】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムにおいて制御信号伝送装置及びユーザ信号伝送装置を選択する伝送装置選択方法であって、
制御信号伝送装置を、前記端末が利用する通信サービスの要件を示すサービスタイプに基づいて、前記通信制御装置が選択する制御信号伝送装置選択ステップと、
ユーザ信号伝送装置を、前記端末が利用する通信サービスの要件を示すサービスタイプに基づいて、前記制御信号伝送装置選択ステップにより選択された制御信号伝送装置が選択するユーザ信号伝送装置選択ステップと、
を含む伝送装置選択方法。
【請求項１０】
通信制御装置と、端末が利用する通信サービスのための制御信号を伝送する経路である制御プレーンを用いて当該制御信号を送受信する複数の制御信号伝送装置と、前記通信サービスのためのユーザ信号を伝送する経路であるユーザプレーンを用いて当該ユーザ信号を送受信する複数のユーザ信号伝送装置とを含む通信システムであって、
前記通信制御装置は、
制御信号伝送装置を、前記端末が利用する通信サービスの要件を示すサービスタイプに基づいて、前記複数の制御信号伝送装置から選択する制御信号伝送装置選択手段、
を備え、
前記制御信号伝送装置は、
前記制御信号伝送装置選択手段により選択された場合に、ユーザ信号伝送装置を、前記端末が利用する通信サービスの要件を示すサービスタイプに基づいて、自機以外の制御信号伝送装置から選択するユーザ信号伝送装置選択手段、
を備える、
通信システム。
【請求項１１】
通信制御装置と、複数のゲートウェイとを含む通信システムにおいてゲートウェイを選択するゲートウェイ選択方法であって、
端末が利用する通信サービスのための制御信号を伝送する経路である制御プレーンを用いて当該制御信号を送受信する第１サービングゲートウェイを、前記端末が利用する通信サービスの要件を示すサービスタイプに基づいて、通信制御装置が選択する第１ゲートウェイ選択ステップと、
前記通信サービスのためのユーザ信号を伝送する経路であるユーザプレーンを用いて当該ユーザ信号を送受信する第２サービングゲートウェイを、前記端末が利用する通信サービスの要件を示すサービスタイプに基づいて、前記第１ゲートウェイ選択ステップにより選択された第１サービングゲートウェイが選択する第２ゲートウェイ選択ステップと、
を含むゲートウェイ選択方法。
【請求項１２】
通信制御装置と、複数のゲートウェイとを含む通信システムであって、
前記通信制御装置は、
端末が利用する通信サービスのための制御信号を伝送する経路である制御プレーンを用いて当該制御信号を送受信する第１サービングゲートウェイを、前記端末が利用する通信サービスの要件を示すサービスタイプに基づいて、前記複数のゲートウェイから選択する第１ゲートウェイ選択手段、
を備え、
前記ゲートウェイは、
前記第１ゲートウェイ選択手段により第１サービングゲートウェイとして選択された場合に、前記通信サービスのためのユーザ信号を伝送する経路であるユーザプレーンを用いて当該ユーザ信号を送受信する第２サービングゲートウェイを、前記端末が利用する通信サービスの要件を示すサービスタイプに基づいて、自機以外のゲートウェイから選択する第２ゲートウェイ選択手段、
を備える、
通信システム。
【国際調査報告】
2017141810.tif 000013
2017141810.tif 000014
2017141810.tif 000015